(57)【要約】【課題】  本発明の課題は、好適な撮影を実現できる撮影装置を提供することである。【解決手段】  所定の撮影範囲の画像を取得可能な第１画像取得部と、前記第１画像取得部とは異なる撮影範囲の画像を取得可能な第２画像取得部と、前記第２画像取得部から得られた画像の変化に対応して前記第１画像取得部に画像を取得させるように制御する制御部とを含む撮影装置。【選択図】      図１
2010011253.tif 000002
【特許請求の範囲】
【請求項１】
所定の撮影範囲の画像を取得可能な第１画像取得部と、
前記第１画像取得部とは異なる撮影範囲の画像を取得可能な第２画像取得部と、
前記第２画像取得部から得られた画像の変化に対応して前記第１画像取得部に画像を取得させるように制御する制御部とを含むことを特徴とする撮影装置。
【請求項２】
請求項１に記載された撮影装置であって、
前記制御部は、前記第２画像取得部から得られた画像に含まれる人物の動きに対応して前記第１画像取得部に画像を取得させるように制御することを特徴とする撮影装置。
【請求項３】
請求項１又は請求項２に記載された撮影装置であって、
前記制御部は、前記第２画像取得部から得られた画像に含まれる撮影者の表情の変化に対応して前記第１画像取得部に画像を取得させるように制御することを特徴とする撮影装置。
【請求項４】
請求項１又は請求項２に記載された撮影装置であって、
前記制御部は、前記第２画像取得部から得られた画像に含まれる撮影者の身体の動きに対応して前記第１画像取得部に画像を取得させるように制御することを特徴とする撮影装置。
【請求項５】
請求項１から請求項４までの何れか１項に記載された撮影装置であって、
前記制御部は、前記第２画像取得部から得られた画像が変化したタイミングで、前記第１画像取得部に画像を取得させることを特徴とする撮影装置。
【請求項６】
請求項１から請求項５までの何れか１項に記載された撮影装置であって、
前記第１画像取得部の前記撮影範囲は、撮影者が含まれない範囲であり、
前記第２画像取得部の前記撮影範囲は、前記撮影者の少なくとも一部を含む範囲であることを特徴とする撮影範囲。
【請求項７】
請求項１から請求項５までの何れか１項に記載された撮影装置であって、
前記第１画像取得部の前記撮影範囲、及び前記第２画像取得部の前記撮影範囲は、撮影者の少なくとも一部を含む範囲であることを特徴とする撮影範囲。
【請求項８】
請求項１から請求項６までの何れか１項に記載された撮影装置であって、
前記第２画像取得部の向きを設定可能な駆動部を有することを特徴とする撮影装置。
【請求項９】
請求項１から請求項８までの何れか１項に記載された撮影装置であって、
前記制御部は、前記第２画像取得部から得られた画像が変化したか否かを判断する判断部と、前記判断部により前記第２画像取得部から得られた画像が変化したと判断されたとき前記第１画像取得部に画像を取得させるための信号を生成する信号生成部とを有することを特徴とする撮影装置。
【請求項１０】
請求項１から請求項９までの何れか１項に記載された撮影装置であって、
音を検出可能なマイクを有し、
前記制御部は、前記第２画像取得部から得られた画像の変化、及び前記マイクから得られた音に対応して、前記第１画像取得部に画像を取得させるように制御することを特徴とする撮影装置。
【発明の詳細な説明】
【技術分野】
【０００１】
本発明は、被写体を撮影する撮影装置に関する。
【背景技術】
【０００２】
従来から、メインカメラとサブカメラとを備える撮影装置が知られている（例えば、特許文献１参照）。
【０００３】
ところが、上述した撮影装置では、撮影者がレリーズボタンを押すことにより撮影する。そのため、被写体のシャッターチャンスと撮影者がレリーズボタンを押すタイミングとが合わないと、必ずしも撮影者の意図を反映した撮影ができなかった。
【特許文献１】特開２００４−３６３９９４号公報
【発明の開示】
【発明が解決しようとする課題】
【０００４】
本発明の課題は、好適な撮影を実現できる撮影装置を提供することである。
【課題を解決するための手段】
【０００５】
本発明の撮影装置は、所定の撮影範囲の画像を取得可能な第１画像取得部と、前記第１画像取得部とは異なる撮影範囲の画像を取得可能な第２画像取得部と、前記第２画像取得部から得られた画像の変化に対応して前記第１画像取得部に画像を取得させるように制御する制御部とを含む。
【０００６】
なお、好ましくは、前記制御部は、前記第２画像取得部から得られた画像に含まれる人物の動きに対応して前記第１画像取得部に画像を取得させるように制御しても良い。
【０００７】
また、好ましくは、前記制御部は、前記第２画像取得部から得られた画像に含まれる撮影者の表情の変化に対応して前記第１画像取得部に画像を取得させるように制御しても良い。
【０００８】
また、好ましくは、前記制御部は、前記第２画像取得部から得られた画像に含まれる撮影者の身体の動きに対応して前記第１画像取得部に画像を取得させるように制御しても良い。
【０００９】
また、好ましくは、前記制御部は、前記第２画像取得部から得られた画像が変化したタイミングで、前記第１画像取得部に画像を取得させても良い。
【００１０】
また、好ましくは、前記第１画像取得部の前記撮影範囲は、撮影者が含まれない範囲であり、前記第２画像取得部の前記撮影範囲は、前記撮影者の少なくとも一部を含む範囲であっても良い。
【００１１】
また、好ましくは、前記第１画像取得部の前記撮影範囲、及び前記第２画像取得部の前記撮影範囲は、撮影者の少なくとも一部を含む範囲であっても良い。
【００１２】
また、好ましくは、前記第２画像取得部の向きを設定可能な駆動部を有しても良い。
【００１３】
また、好ましくは、前記制御部は、前記第２画像取得部から得られた画像が変化したか否かを判断する判断部と、前記判断部により前記第２画像取得部から得られた画像が変化したと判断されたとき前記第１画像取得部に画像を取得させるための信号を生成する信号生成部とを有しても良い。
【００１４】
また、好ましくは、音を検出可能なマイクを有し、前記制御部は、前記第２画像取得部から得られた画像の変化、及び前記マイクから得られた音に対応して、前記第１画像取得部に画像を取得させるように制御しても良い。
【発明の効果】
【００１５】
本発明の撮影装置によれば、サブカメラを用いて、好適な撮影を実現することができる。
【発明を実施するための最良の形態】
【００１６】
以下、図面を用いて本発明の実施形態について説明する。なお、本実施形態では、本発明の撮影装置の一例として、電子カメラを用いて説明する。
【００１７】
図１は、本発明の実施形態における電子カメラ１の構成を示すブロック図である。図２（ａ）は、本発明の電子カメラ１の外観を前面側から示す図である。また、図２（ｂ）は、本発明の電子カメラ１の外観を背面側から示す図である。図１に示すように、電子カメラ１は、メインカメラ２、サブカメラ３、ＣＰＵ１０、バッファメモリ１１、モニタ１２、操作ボタン１３、レリーズボタン１４、自動撮像ボタン１５、ランプ１６、記録Ｉ／Ｆ部１７、記録媒体１８、バス１９を備える。なお、メインカメラ２及びサブカメラ３の出力はバス１９を介してＣＰＵ１０に接続される。また、ＣＰＵ１０、記録Ｉ／Ｆ部１７の出力はそれぞれバス１９を介してモニタ１２に接続される。
【００１８】
ＣＰＵ１０は、所定のシーケンスプログラムにしたがって、電子カメラ１の統括的な制御を行うプロセッサである。また、ＣＰＵ１０は、メインカメラ２、サブカメラ３から出力された画像のデータに各種の画像処理（ホワイトバランス調整、色補間、階調変換処理、輪郭強調処理など）を施す。さらに、ＣＰＵ１０は、記録媒体１８に画像のデータを記録する前にＪＰＥＧ形式などで圧縮する処理や、圧縮された上記のデータを伸長復元する処理を実行する。
【００１９】
バッファメモリ１１は、ＣＰＵ１０による画像処理の前工程や後工程で画像のデータを一時的に格納する。モニタ１２は、ＣＰＵ１０の制御により各種の画像を表示する。モニタ１２に表示される各種の画像は、メインカメラ２により撮像した画像、記録媒体１８に記録した画像、メニュー画面などを含む。ランプ１６は、ＬＥＤなどにより構成され、ＣＰＵ１０の制御により点灯する。記録Ｉ／Ｆ部１７は、記録媒体１８を接続するためのコネクタが形成される。そして、記録Ｉ／Ｆ部１７は、コネクタに接続された記録媒体１８に対してデータの書き込み／読み出しを実行する。
【００２０】
操作ボタン１３は、例えば、ロータリマルチセレクターにより構成され、上記のメニュー画面等での操作入力を撮像者から受け付ける。レリーズボタン１４は、半押し操作によるＡＦ、ＡＥ演算などの指示と、全押し操作によるレリーズの指示とを撮像者から受け付ける。自動撮像ボタン１５は、レリーズボタン１４の半押し操作と同様の指示を撮像者から受け付ける。操作ボタン１３、レリーズボタン１４、自動撮像ボタン１５の状態は、ＣＰＵ１０により検知される。
【００２１】
メインカメラ２は、撮像レンズ４、撮像素子５、Ａ／Ｄ変換部６を有する。撮像レンズ４は、撮像素子５の撮像面に被写体の像を結像する。撮像素子５は、撮像レンズ４を通過した光束による被写体の像を光電変換し、アナログの画像信号を出力する。撮像素子５の出力は、Ａ／Ｄ変換部６に接続される。Ａ／Ｄ変換部６は、撮像素子５の出力信号のＡ／Ｄ変換を行う。
【００２２】
サブカメラ３は、撮像レンズ７、撮像素子８、Ａ／Ｄ変換部９を有する。撮像レンズ７は、撮像素子８の撮像面に被写体の像を結像する。撮像素子８は、撮像レンズ７を通過した光束による被写体の像を光電変換し、アナログの画像信号を出力する。撮像素子８の出力は、Ａ／Ｄ変換部９に接続される。Ａ／Ｄ変換部９は、撮像素子８の出力信号のＡ／Ｄ変換を行う。サブカメラ３は、不図示の駆動部により向きを設定することができる。なお、メインカメラ２は、図２（ａ）に示すように、電子カメラ１の前面側に配置される。サブカメラ３は、図２（ｂ）に示すように、電子カメラ１の背面側に配置される。このように、電子カメラ１は、メインカメラ２により被写体を撮像し、サブカメラ３により撮像者を撮像することができる。
【００２３】
また、メインカメラ２は、撮像待機時に所定期間毎に間引き読み出しを行って、第１のスルー画像を撮像する。サブカメラ３は、同様に、第２のスルー画像を撮像する。そして、メインカメラ２は、ＣＰＵ１０から供給された撮像信号Ｓ１を検知すると、記録用画像（本画像）を撮像する。ここで、撮像信号Ｓ１について説明する。ＣＰＵ１０は、レリーズボタン１４が全押しされると、メインカメラ２に撮像信号Ｓ１を供給する。また、ＣＰＵ１０は、自動撮像ボタン１５が全押しされると、後述する自動撮像機能をＯＮにし、サブカメラ３により撮像した第２のスルー画像における撮像者の表情や動作などの画像情報を用いて、メインカメラ２に撮像信号Ｓ１を供給する。すなわち、メインカメラ２は、レリーズボタン１４の全押し操作に応じてＣＰＵ１０から供給された撮像信号Ｓ１を検知し、本画像を撮像するか、または、サブカメラ３の画像情報を用いてＣＰＵ１０から供給された撮像信号Ｓ１を検知し、本画像を自動的に撮像する。
【００２４】
図３は、電子カメラ１における自動撮像時のＣＰＵ１０の動作を示すフローチャートである。
【００２５】
ステップＳ１０１で、ＣＰＵ１０は、操作ボタン１３を介して撮像者から本画像を撮像する条件を受け付ける。例えば、撮像者が電子カメラ１を構え、被写体として動物や子供などを撮像しようとしている場面において、シャッターチャンスによって、レリーズボタン１４を押す手よりも先に撮像者の顔の表情が変化し、笑顔になることがある。また、被写体を撮像するタイミングは、撮像者により決められる。そのため、撮像者の表情の変化を利用して、被写体を自動的に撮像すれば、撮像者の意図または反応を反映した撮像が可能になる。そこで、ＣＰＵ１０は、モニタ１２にメニュー画面を表示することにより、撮像者から笑顔、口を開ける、口を閉じる、目を大きくする、目を閉じる、歯を見せる等の顔の表情のうち、いずれかの指定を受け付ける。なお、表情に限らず、顔を縦に振る、顔を横に振る、などの動作でも良い。以下、ＣＰＵ１０が撮像者から「笑顔」を受け付けた例を説明する。
【００２６】
ステップＳ１０２で、ＣＰＵ１０は、メインカメラ２を制御して、第１のスルー画像の撮像を開始するとともに、サブカメラ３を制御して、第２のスルー画像の撮像を開始する。撮像者が電子カメラ１を構えて被写体である猫を撮像する例を図４に示す。
【００２７】
ステップＳ１０３で、ＣＰＵ１０は、ステップＳ１０２で撮像した第２のスルー画像から撮像者の顔領域の認識を開始する。例えば、ＣＰＵ１０は、顔の特徴（目と鼻と口などの配置や輪郭）を検出することにより、顔領域を認識する。
【００２８】
ステップＳ１０４で、ＣＰＵ１０は、撮像者の顔領域を認識したか否かを判定する。撮像者の顔領域を認識した場合（ＹＥＳ）には、ステップＳ１０５に移行する。なお、ＣＰＵ１０は、ランプ１６を緑色に点灯しても良いし、モニタ１２に「撮像者の顔が写っています。」等もメッセージを表示しても良い。また、サブカメラ３は、上述した通り、駆動部により向きを設定することができる。そのため、ＣＰＵ１０は、駆動部を制御して、撮像者の顔がサブカメラ３の撮像範囲に含まれるように、撮像者の顔を追尾しても良い。これにより、サブカメラ３は、常に撮像者の顔を撮像することができる。一方、撮像者の顔領域を認識しない場合（ＮＯ）には、ステップＳ１０３に戻る。なお、ＣＰＵ１０は、ランプ１６を赤色に点灯しても良いし、モニタ１２に「撮像者の顔が写っていません。」等のメッセージを表示しても良い。また、電子音発生部を備え、電子音により、撮像者の顔が写っているか否かを知らせても良い。
【００２９】
ステップＳ１０５で、ＣＰＵ１０は、自動撮像ボタン１５が押されたか否かを判定する。自動撮像ボタン１５が押された場合（ＹＥＳ）には、ステップＳ１０６に移行する。一方、自動撮像ボタン１５が押されない場合（ＮＯ）には、ステップＳ１０３に戻る。
【００３０】
ステップＳ１０６で、ＣＰＵ１０は、自動撮像機能をＯＮにし、撮像準備モードに入る。例えば、ＣＰＵ１０は、不図示のタイマによる時間の計測を開始する。そして、ＣＰＵ１０は、ＡＦ、ＡＥ演算などを行う。
【００３１】
ステップＳ１０７で、ＣＰＵ１０は、ステップＳ１０６でタイマにより計測を開始した時間が所定の時間を超えたか否かを判定する。例えば、所定の時間を３０秒や１分としても良い。所定の時間を超えていない場合（ＮＯ）には、ステップＳ１０８に移行する。一方、所定の時間を超えた場合（ＹＥＳ）には、後述するステップＳ１１１に移行する。
【００３２】
ステップＳ１０８で、ＣＰＵ１０は、第２のスルー画像から撮像者の顔領域を認識し、ステップＳ１０１で受け付けた本画像を撮像する条件を満たすか否か、すなわち、笑顔になったか否かを判定する。なお、ステップＳ１０１で上述した各表情における顔の特徴（目と鼻と口などの配置や輪郭）が予め不図示のメモリに記録されている。例えば、ＣＰＵ１０は、メモリから笑顔の特徴を読み出し、読み出した笑顔の特徴と、第２のスルー画像から認識した撮像者の顔領域との類似度が閾値以上かを判定する。そして、ＣＰＵ１０は、類似度が閾値以上である場合には、撮像者の顔領域が笑顔であると判定しても良い。  本実施例では、撮像者が笑顔でない表情から笑顔に変化したタイミングでＣＰＵ１０が撮像信号Ｓ１を発生させることができるので、レリーズボタン１４を押すのに手間取りレリーズタイミングを逃がすおそれがなくなる。撮像者の顔領域が笑顔である場合（ＹＥＳ）には、ステップＳ１０９に移行する。一方、撮像者の顔領域が笑顔でない場合（ＮＯ）には、ステップＳ１０７に戻り、再び所定の時間を超えたか否かを判定する。これにより、タイマで計測した時間が所定の時間を超えるまで、撮像者の顔領域が笑顔か否かの判定が繰り返される。
【００３３】
ステップＳ１０９で、ＣＰＵ１０は、撮像信号Ｓ１を生成する。そして、ＣＰＵ１０は、メインカメラ２に撮像信号Ｓ１を供給し、本画像を撮像する。また、ＣＰＵ１０は、ランプ１６を黄色に点灯する。これにより、撮像者は、メインカメラ２が被写体を自動的に撮像したことがわかる。
【００３４】
ステップＳ１１０で、ＣＰＵ１０は、ステップＳ１０９で撮像した本画像のデータに対して画像処理を施し、画像処理後の本画像のデータを記録媒体１８に記録する。そして、一連の処理を終了する。
【００３５】
ステップＳ１０７で所定の時間を超えた場合（ＹＥＳ）には、ステップＳ１１１で、ＣＰＵ１０は、撮像準備モードから抜ける。例えば、ＣＰＵ１０は、ステップＳ１０６で時間の計測を開始したタイマをリセットし、緑色に点灯させていたランプ１６を消す。そして、ＣＰＵ１０は、ステップＳ１０３に戻り、再び撮像者の顔領域の認識を開始する。
【００３６】
以上説明したように、本発明の電子カメラは、被写体のシャッターチャンスによって生じた撮像者の表情や動作の変化を利用して、被写体を自動的に撮像する。そのため、本発明の電子カメラによれば、撮像者の意図または反応を反映した撮像が可能になる。また、撮像者が電子カメラから離れていても被写体を撮像できるだけでなく、レリーズボタンを押すことにより生じる手ブレを防ぐことができる。
【００３７】
なお、上記の実施形態では、メインカメラ２により被写体を撮像し、サブカメラ３により撮像者を撮像する例を示したが、これに限らない。例えば、サブカメラ３をメインカメラ２と同じ方向に向けて撮像者自身を撮像する、いわゆる自分撮りの場合にも適用できるとする。この場合、サブカメラ３がメインカメラ２よりも広角であることが好ましい。サブカメラ３がメインカメラ２よりも広角であれば、撮像者は、メインカメラ２の撮像範囲外の動作により撮像指示を出すことができる。例えば、撮像者の顔のみがメインカメラ２の撮像範囲に含まれている場合、撮像者は、顔から手を離し、手で所定の動作をすることにより撮像指示を出すことができる。
【００３８】
また、上記の実施形態では、ステップＳ１０１において、予め設定された撮像者の表情や動作からいずれかの指定を受け付けたが、これに限らない。例えば、ＣＰＵ１０は、サブカメラ３を制御して、撮像待機時の画像（以下、Ａ画像という）と、本画像を撮像する条件となる画像（以下、Ｂ画像という）とを予め撮像し、記憶する。例えば、撮像者が手を開いた状態の画像をＡ画像とし、手を閉じた状態の画像をＢ画像としても良い。そして、ステップＳ１０８で、ＣＰＵ１０は、サブカメラ３により撮像した第２のスルー画像がＡ画像からＢ画像に変化した場合に、メインカメラ２を制御して、被写体を自動的に撮像する。
【００３９】
また、上記の実施形態では、サブカメラ３の画像情報のみを用いて本画像を自動的に撮像したが、これに限らない。例えば、音を検出するマイクを備え、マイクにより検出した音、及び撮像者の表情を用いて、本画像を撮像しても良い。例えば、ステップＳ１０１で、ＣＰＵ１０は、「ハイ、チーズ」という声と「口を開ける」とを受け付ける。そして、ステップＳ１０８で、ＣＰＵ１０は、第２のスルー画像から認識した顔領域が口を開けており、かつ、マイクにより検出した音が「ハイ、チーズ」と一致する場合には、撮像信号Ｓ１をメインカメラ２に供給する。この場合、より精度良く、撮像者の意図または反応を反映した撮像が可能になる。
【００４０】
また、ＣＰＵ１０は、ステップＳ１０１で指定された撮像者の表情や動作に応じて、ステップＳ１０７における所定の時間を変更しても良い。例えば、「笑顔」が選択された場合には、１分とし、「目を閉じる」が選択された場合には、１０秒としても良い。
【００４１】
また、ＣＰＵ１０は、ステップＳ１０１において、撮像者の表情や動作からいずれかの指定を受け付けるとともに、ステップＳ１０７における所定の時間の設定を受け付ける構成にしても良い。これにより、例えば、撮像者が自動撮像機能をＯＮにして被写体のシャッターチャンスを長時間待ち続ける場合にも適用できるため、撮像シーンに対応した撮像が可能になる。
【００４２】
また、上記の実施形態では、サブカメラ３で得られたスルー画像を用いて撮像信号Ｓ１を発生させるタイミングを決定したが、これに限定されるものではない。例えば、サブカメラ３を用いて、異なる時刻に複数枚の静止画を撮像し、この複数枚の静止画を比較して撮像信号Ｓ１を発生させるタイミングを決定しても良い。また、サブカメラ３を用いて撮像された１枚の静止画に閾値以上の笑顔被写体があるときに撮像信号Ｓ１を発生させても良い。
【００４３】
また、本発明の撮影装置の一例として電子カメラを用いて説明したが、スチルカメラ、カメラ付きの携帯電話などにも本発明を同様に適用することができる。
【図面の簡単な説明】
【００４４】
【図１】本発明の実施形態における電子カメラ１の構成を示すブロック図である。
【図２】本発明の電子カメラの外観を示す図である。
【図３】電子カメラ１における自動撮像時のＣＰＵ１０の動作を示すフローチャートである。
【図４】撮像者が電子カメラ１を構えて被写体である猫を撮像する例を示す図である。
【符号の説明】
【００４５】
１…電子カメラ、２…メインカメラ、３…サブカメラ、１０…ＣＰＵ、１３…操作ボタン
【図１】
2010011253.tif 000003
【図２】
2010011253.tif 000004
【図３】
2010011253.tif 000005
【図４】
2010011253.tif 000006